(57)【要約】【課題】作業者がパソコン本体に内装されたメディアドライブへのメディアの装填を自然な姿勢で行え、メディアドライブに対する操作性を向上させたパソコンレイアウト構造体、及び画像処理装置を提供する。【解決手段】前面からメディアの装填が可能な少なくとも一つ以上のメディアドライブを備えたパソコン本体、及び該パソコン本体に接続されたディスプレイを配置するパソコンレイアウト構造体であって、前記ディスプレイを載置するベース部と、前記パソコン本体を載置するパソコン載置部とを備え、該パソコン載置部は、前記ベース部と並列に配置されるとともに、該ベース部の上面より下方に位置し、該パソコン載置部上に載置されたパソコン本体のメディアドライブが、ディスプレイの画面略中央部以下で、且つベース部の上面以上の高さ範囲内に位置するように設けられてなることを特徴とする。【選択図】　　　　　図１
2004086482.tif 000002
【特許請求の範囲】
【請求項１】
前面からメディアの装填が可能な少なくとも一つ以上のメディアドライブを備えたパソコン本体、及び該パソコン本体に接続されたディスプレイを配置するパソコンレイアウト構造体であって、前記ディスプレイを載置するベース部と、前記パソコン本体を載置するパソコン載置部とを備え、該パソコン載置部は、前記ベース部と並列に配置されるとともに、該ベース部の上面より下方に位置し、該パソコン載置部上に載置されたパソコン本体のメディアドライブが、ディスプレイの画面略中央部以下で、且つベース部の上面以上の高さ範囲内に位置するように設けられてなることを特徴とするパソコンレイアウト構造体。
【請求項２】
前記パソコン載置部が、高さ調整可能に設けられてなる請求項１に記載のパソコンレイアウト構造体。
【請求項３】
前記パソコン載置部は、前記メディアドライブのメディア挿入部を外部に露呈させた状態でパソコン本体を収容する筐体が取り付け可能に構成されてなる請求項１又は２記載のパソコンレイアウト構造体。
【請求項４】
前記筐体は、パソコン本体の外周面に当接する緩衝材が各内面に設けられてなる請求項１乃至３の何れかに記載のパソコンレイアウト構造体。
【請求項５】
前記パソコン載置部にパソコン本体が配置されるとともに、前記ベース部にディスプレイが配置された請求項１乃至４の何れかのパソコンレイアウト構造体と、写真フィルムから画像を読み取るスキャナー装置とを備えたことを特徴とする画像処理装置。
【請求項６】
前記ベース部の下方に、スキャナー装置の駆動を制御する制御部を備えてなる請求項５記載の画像処理装置。
【発明の詳細な説明】
【０００１】
【発明の属する技術分野】
本発明は、メディアドライブを備えたパソコン本体、及びこのパソコン本体に接続されたディスプレイを配置するパソコンレイアウト構造体、及び画像処理装置に関する。
【０００２】
【従来の技術】
近年のデジタル技術、及びこれに付随するデジタル用デバイスの発達に伴い、写真処理技術分野においてもデジタル化が進んでいる。その一例として、アナログである写真フィルムのコマ画像をデータ（デジタルデータ）として読み取るとともに、該読み取ったデータに加工（色補正等の画像処理）を施す画像処理装置がある。該画像処理装置は、写真フィルムのコマ画像を画像データとして読み取るスキャナー装置と、該スキャナー装置で読み取った画像データに加工（読み取った画像に対して色補正等の画像処理）を施す制御装置とを備えている。前記制御装置には、一般に流通するパーソナルコンピュータ（以下、パソコン本体という）の高性能化、低価格化に伴い、既製のパソコン本体が採用されつつある。
【０００３】
前記既製のパソコン本体は、記憶媒体（メディア）に記憶されたデータを読み取るメディアドライブを備えるとともに、別途用意した外付け用のメディアドライブと接続できるようになっているのが一般的であるため、該既製のパソコン本体を搭載した画像処理装置は、スキャナーで読み取った写真フィルムのコマ画像の画像データのみならず、フラッシュメモリカード、ＰＣカード、ＦＤ（フロッピー（登録商標）ディスク）、ＭＯ（光磁気ディスク）、ＣＤ、ＤＶＤ等のメディアに記憶されたデジタルカメラで撮影済みの画像データを手軽に扱える（これらの画像に対して種々の画像処理を施せる）ことと相俟って急速に普及しつつある。
【０００４】
該画像処理装置は、パソコン本体に接続された状態でテーブル上に配置されたディスプレイに表示される画像に基づき、キーボードやマウスからの入力により、パソコン本体の記憶装置（ＲＡＭ）に記憶したアプリケーションプログラムを実行させることで操作できるようになっている。したがって、作業者は、ディスプレイの画面上の画像を自然な姿勢で確認できるように、ディスプレイの画面略中央部に視線を位置させて着座或いは起立して作業（キーボード等の入力操作）を行うのが一般的である。
【０００５】
ところで、パソコン本体及びディスプレイの設置スペースを最小限にすべく、作業者が常に確認するディスプレイを配置したテーブルの下方の空間にパソコン本体が配置されたり、タワー型のパソコン本体、或いは起立状態にしたデスクトップ型のパソコン本体がディスプレイと横並びでテーブル上に配置されたりする場合がある。
【０００６】
【発明が解決しようとする課題】
ところが、パソコン本体をディスプレイの配置したテーブルの下方に配置すると、上述の如く作業者がディスプレイの画面略中央部に視線を位置させるように着座、或いは起立するのが一般的であるため、作業者がパソコン本体に装備されたメディアドライブにメディアを装填する際に、作業者は腰を屈めた姿勢（無理な姿勢）でメディアの装填を行わなければならず、作業者が自然な姿勢でメディアドライブにメディアを装填することができなかった。
【０００７】
また、タワー型のパソコン本体、或いは起立状態にしたデスクトップ型のパソコン本体がディスプレイと横並びでテーブル上に配置されると、これらのパソコン本体では、装備したメディアドライブがディスプレイの画面の略中央部よりも上方に位置する場合が多い。そのため、作業者がメディアの装填等の作業を行うに際し、作業者の基準となる視線位置（ディスプレイの画面略中央部）から上方に向けての視線移動を行ったり、基準となる視線位置より上方でのメディア装填作業を行ったりしなければならず、作業者が自然な姿勢でメディアドライブにメディアを装填することができなかった。特に、メディアドライブのメディアの装填方式が、パソコン本体の前面から出てくるトレーの上面に形成された凹部内にＣＤ−ＲＯＭやＤＶＤ−ＲＯＭを位置決めして装填するトレータイプである場合には、トレーの上面の凹部の確認がしづらく、メディアの装填の作業効率が悪かった。
【０００８】
そこで、本発明は、作業者がパソコン本体に内装されたメディアドライブへのメディアの装填を自然な姿勢で行え、メディアドライブに対する操作性を向上させたパソコンレイアウト構造体、及び画像処理装置を提供することを課題とする。
【０００９】
【課題を解決するための手段】
本発明にかかるパソコンレイアウト構造体は、請求項１記載の如く、前面からメディアの装填が可能な少なくとも一つ以上のメディアドライブを備えたパソコン本体、及び該パソコン本体に接続されたディスプレイを配置するパソコンレイアウト構造体であって、前記ディスプレイを載置するベース部と、前記パソコン本体を載置するパソコン載置部とを備え、該パソコン載置部は、前記ベース部と並列に配置されるとともに、該ベース部の上面より下方に位置し、該パソコン載置部上に載置されたパソコン本体のメディアドライブが、ディスプレイの画面略中央部以下で、且つベース部の上面以上の高さ範囲内に位置するように設けられてなることを特徴とする。なお、ディスプレイの画面略中央部以下とは、画面中央部の領域を含んだ概念である。
【００１０】
上記パソコンレイアウト構造体によれば、パソコン本体を載置するパソコン載置部をベース部よりも下方に位置させるとともに、該パソコン載置部にパソコン本体を配置した際に、そのパソコン本体が装備したメディアドライブがディスプレイの画面略中央部以下で、且つベース部の上面以上の高さ範囲内に位置するように構成されているので、作業者がディスプレイの画面の略中央部を視線の基準位置にした姿勢（標準的な姿勢）で作業（メディアの装填等）を行うに際し、ディスプレイの画面の略中央部より上方へ視線変更させたり、ディスプレイの画面の略中央部より上方でメディアの装填作業を行ったりすることなく、自然な姿勢でメディアドライブに対する位置確認やメディアの装填を円滑に行うことができる。したがって、メディアドライブが、パソコン本体の前面側に出てくるトレーの上面に形成された凹部にＣＤやＤＶＤ等のメディアを装填するものであっても、そのトレーの凹部を容易に確認することができ、メディアを効率よく装填することができる。
【００１１】
また、請求項２記載の如く、前記パソコン載置部が、高さ調整可能に設けられてもよい。このようにすれば、パソコン本体の形態にあわせてパソコン載置部の高さを調整するだけで、パソコン本体の形態（メーカーや機種）に関係なく、パソコン本体のメディアドライブを、ディスプレイの画面略中央部以下で、且つベース部の上面以上の高さ範囲内に位置させることができる。
【００１２】
さらに、請求項３記載の如く、前記パソコン載置部は、前記メディアドライブのメディア挿入部を外部に露呈させた状態でパソコン本体を収容する筐体が取り付け可能に構成されてもよい。このようにすれば、筐体によりパソコン本体を外部からの衝撃などから保護した状態で、パソコン本体をパソコン載置部に配置することができる。また、パソコン本体が筐体に収容されれば、何らかの要因で発生する外部からのノイズがカットされてパソコン本体まで伝達するのを防止することができ、パソコン本体の制御部（ＣＰＵ）等に悪影響を与えるのを防止することができる。また、外部（周辺に配置された装置など）に対して悪影響を与えるパソコン本体から発生する特有のノイズが、外部に漏れるのを防止することができる。これらのノイズを効率良くカットするには、筐体を鉄（鉄板）で構成することが好ましい。
【００１３】
また、請求項４記載の如く、前記筐体は、パソコン本体の外周面に当接する緩衝材が各内面に設けられれば、筐体内にパソコン本体を収容した際に、該パソコン本体が緩衝材を介して筐体に支持された状態となり、パソコンレイアウト構造体を運搬等する際に、該パソコン本体が運搬中に振動によって筐体内で移動したり、転倒したりするのを防止することができる。その上、運搬等により生じる振動を緩衝材によって吸収することができるので、精密機器であるパソコン本体に振動等が伝わるのを防止することができる。これにより、パソコン本体をパソコン載置部から退けることなく、パソコンレイアウト構造体を搬送（輸送）することができる。
【００１４】
本発明にかかる画像処理装置は、請求項５記載の如く、前記パソコン載置部にパソコン本体が配置されるとともに、前記ベース部にディスプレイが配置された請求項１乃至４の何れかのパソコンレイアウト構造体と、写真フィルムから画像を読み取るスキャナー装置とを備えたことを特徴とする。
【００１５】
このようにすれば、メディアに記憶した画像のみならず、スキャナー装置から読み取った画像についても、パソコン本体で画像処理を行うことができる。その結果、この画像処理の施された画像の画像データを基に、別途用意した露光処理装置で感光材料を露光処理した後に現像処理を施すと、該感光材料に鮮明な画像を形成することができる。
【００１６】
また、パソコン本体のメディアドライブがディスプレイの画面略中央部以下で、且つベース部の上面以上の高さ範囲内に位置するので、メディアに記憶した画像に対して画像処理を施すに際し、作業者がメディアをパソコン本体のメディアドライブに装填、或いはメディアの交換を行う場合、作業者がディスプレイの画面の略中央部を視線の基準位置にした姿勢（標準的な姿勢）で作業（メディアの装填等）を行っても、ディスプレイの画面の略中央部より上方へ視線変更させたり、ディスプレイの画面の略中央部より上方でメディアの装填作業を行ったりすることなく、自然な姿勢でメディアドライブに対する位置確認やメディアの装填を円滑に行うことができる。
【００１７】
また、請求項６記載の如く、前記ベース部の下方に、スキャナー装置の駆動を制御する制御部を備えれば、スキャナー装置の駆動の制御をパソコン本体に頼る必要がなくなるので、メディアに記憶された画像やスキャナー装置で読み取った画像等に対する画像処理を行うのにパソコン本体の性能を最大限活用することができる。なお、制御部の処理能力を大きくすれば、この制御部でスキャナー装置の駆動の制御のみならず、パソコン本体の処理能力では処理しきれない大容量の画像データ（例えば、画像の枚数が多い場合や、画像のピクセル数が多い場合）に対しても画像処理等の処理を行えるようにすることもできる。また、制御部の処理能力をいっそう大きくし、画像データを基に感光材料に露光処理を施す露光処理装置や、露光処理の施された感光材料を現像処理する現像処理装置等を、この画像処理装置と一体化すれば、この制御部で露光処理装置や現像処理装置の制御も行うこともできる。
【００１８】
【発明の実施の形態】
以下、本発明の一実施形態にかかる画像処理装置について、図面を参照しつつ説明する。図１は、本実施形態にかかる画像処理装置の正面図を示し、図２は、該画像処理装置の背面図を示し、図３は、該画像処理装置の平面図を示している。
【００１９】
かかる画像処理装置１は、該画像処理装置１の制御や記憶媒体（メディア）に記憶したデータに対する種々の加工等を行うパソコン本体２と、該パソコン本体２に接続されたディスプレイ３と、写真フィルムＦに形成されたコマ画像を読み取るスキャナー装置４と、パソコン本体２の保護及びパソコン本体２に悪影響を及ぼす外部からのノイズをカットすべく、パソコン本体２を収容する筐体５と、これらを配置するパソコンレイアウト構造体である本体６とで構成されている。
【００２０】
前記パソコン本体２は、一般に流通している既製のタワー型のパソコンであり、該パソコン本体２は、演算装置及び制御装置からなる中央処理装置（ＣＰＵ）や、記憶装置（ＲＡＭやハードディスク等）とともに、複数種類のメディア（フロッピー（登録商標）ディスク、ＭＯディスク、ＣＤ、ＤＶＤ）からデータを読み込む複数種類のメディアドライブ７，８，９，１０（一部データの書き込みが可能なものもある）が、外形略直方体のケース１１内に装備されている。このパソコン本体２は、作業者と対面する正面（前面）から前記各メディアが装填可能なように、ケース１１の正面に前記メディアドライブ７，８，９，１０のメディア挿入部７ａ，８ａ，９ａ，１０ａが外部に露呈している。また、このケース１１の正面で、且つメディア挿入部７ａ，８ａ，９ａ，１０ａの下側には、押しボタン式の電源スイッチＳ１及びリセットスイッチＳ２等が設けられている。
【００２１】
前記ディスプレイ３は、前記パソコン本体２にケーブル接続されたＣＲＴディスプレイであり、該画像処理装置１の操作や画像処理等にかかる画像が、パソコン本体２の記憶装置に記憶されたアプリケーションプログラム（以下、単にアプリケーションという）の実行処理に基づいて表示されるようになっている。
【００２２】
前記スキャナー装置４は、帯状の写真フィルムＦを長手方向に搬送するフィルムキャリア１２と、該フィルムキャリア１２によって搬送される写真フィルムＦのコマ画像を読み取るスキャナー本体１３とで構成されている。
【００２３】
前記フィルムキャリア１２は、スキャナー本体１３に対して着脱自在に構成されており、図４に示す如く、開閉可能なハウジング１４と、該ハウジング１４に内装されて前記帯状の写真フィルムＦを長手に搬送する搬送系１５とを備えている。前記ハウジング１４には、搬送系１５により搬送される写真フィルムＦのコマ画像を投影させるべく、写真フィルムＦの厚み方向に貫通し、搬送方向に対して直交方向に長尺に設定された透過用スリット１６が形成されている。
【００２４】
前記スキャナー本体１３は、前記フィルムキャリア１２を位置決めした状態で取り付け可能に構成されている。該スキャナー本体１３は、該フィルムキャリア１２の搬送系１５により搬送される写真フィルムＦのコマ画像をライン状に読み取るライン状撮像素子１７と、該ライン状撮像素子１７の上方に配置され、写真フィルムＦのコマ画像を拡大して前記ライン状撮像素子１７が読み取れるように、写真フィルムＦのコマ画像を拡大する円柱状の拡大レンズ１８と、ミラー１９を介して写真フィルムＦに光を照射する光源ランプ２０とを備えている。
【００２５】
前記ライン状撮像素子１７は、写真フィルムＦの搬送方向に対して直交方向にライン状をなす電荷結合デバイス（いわゆる、ＣＣＤ）で構成されている。該ライン状撮像素子１７は、光源ランプ２０によって光が照射されて鮮明になった搬送中の写真フィルムＦのコマ画像を、フィルムキャリア１２の透過用スリット１６を介し、搬送方向に対して直交方向のライン状に順次読み取るように構成されている。このライン状撮像素子１７は、撮像した画像データが前記パソコン本体２、及び本体６の後述する制御部である制御ユニット２１（図１及び図２）で処理可能なように、制御ユニット２１及び該制御ユニット２１を介してパソコン本体２にケーブル接続されている。
【００２６】
前記筐体５は、図５に示す如く、起立状態にある外観略直方体をなした背面部が開放状態にある鉄製の筐本体２２と、該筺本体２２の背面部を塞ぐ鉄製の背面板２３とで構成されている。
【００２７】
前記筺本体２２は、奥行きがパソコン本体２の奥行きよりも長く設定されており、前記背面板２３で筺本体２２の背面部を塞いだ際に、背面板２３とパソコン本体２の背面とが所定間隔を有するように形状設定されている。また、筺本体２２の内部には、内部空間を上下方向に仕切る仕切板２４が設けられており、前記パソコン本体２を収納するパソコン収容部２５と、前記パソコン本体２にケーブル接続された外部メディアドライブ２６を収納するメディアドライブ収容部２７とが形成されている。
【００２８】
前記パソコン収容部２５は、仕切板２４の下方に形成された空間であり、前記パソコン収容部２５を形成する筐本体２２の前面には、パソコン本体２の正面の露呈したメディア挿入部７ａ，８ａ，９ａ，１０ａに対応した第一開口２８、及び電源スイッチＳ１やリセットスイッチＳ２の配置に対応した小径の穴２９が穿設されており、パソコン本体２を収納した際に、第一開口２８を介してメディアドライブ７，８，９，１０のメディア挿入部７ａ，８ａ，９ａ，１０ａが外部に露呈するとともに、電源スイッチＳ１やリセットスイッチＳ２の一部が穴２９を介して外部から視認可能に構成されている。なお、筺本体２２に形成された穴２９を、電源スイッチＳ１及びリセットスイッチＳ２の一部だけを視認可能とした小径なものとすることで、該画像処理装置１の動作中に、作業者が不用意にスイッチ類に触れる（操作する）ことのないようになっている。この電源スイッチＳ１やリセットスイッチＳ２を操作する必要がある場合には、穴２９に棒状のものを差し込み、その棒状のもので各スイッチＳ１，Ｓ２を押釦操作するようになっている。
【００２９】
また、パソコン収容部２５を形成する筐本体２２の前面下部（電源スイッチＳ１及びリセットスイッチＳ２に対応した穴２９の下方）には、スリット状の通気穴３０（図１）が複数設けられており、パソコン収容部２５の内部空気、及び外部空気が流通し得るようになっている。パソコン収容部２５の底部には、前記本体６の後述するパソコン載置部である第二天板３１にネジ部材（ボルト及びナット）を介して固定すべく、ネジ挿通用の穴（図示しない）が穿設されている。パソコン収容部２５を形成する内周面には、弾性を有する緩衝材３２（例えば、ウレタンゴム等）が貼着されており、パソコン本体２を収容した際に、緩衝材３２がパソコン本体２のケース１１の外周面とパソコン収容部２５を形成する筺本体２２の内周面及び仕切板２４の下面とで押圧されて変形するように構成されている。これにより緩衝材３２の復元力によりパソコン本体２が押圧されて、パソコン本体２のパソコン収容部２５内での移動を規制するように構成されている。
【００３０】
前記メディアドライブ収容部２７は、仕切板２４の上面側に形成された空間であり、パソコン収容部２５の上方に位置している。このメディアドライブ収容部２７には、パソコン本体２が備えていない他の外部メディアドライブ２６（ＰＣカード、フラッシュメモリカード（コンパクトフラッシュ（登録商標））、ＳＤカード、マルチメディアカード等の複数種類のカード型メモリカードからデータを読み込むマルチカードリーダー）が内装（固定）されており、該メディアドライブ収容部２７を形成する筺本体２２の前面に形成された第二開口３３から、マルチカードリーダー２６のメディア挿入部３４が外部に露呈している（図１）。また、該マルチカードリーダー２６の後方（筺本体２２の背面側）には、パソコン本体２及び制御ユニット２１に対して非常時（停電時）に電気供給する無停電電源用のバッテリー３５が内装（固定）されている。この無停電電源用のバッテリー３５を設けることで、該画像処理装置１の作業中に何らかの理由により電気供給が絶たれても、パソコン本体２及び前記制御ユニット２１による処理状態を維持することができ、処理中のデータの破損や記憶データが消去してしまうといった事態を防止することができる。
【００３１】
前記背面板２３は、筺本体２２の開放状態の背面部を塞ぐべく、背面視略長方形状をなしている。該背面板２３には、パソコン本体２の背面に設けられた冷却ファン３６の配置位置に対応して角形の通気穴３７が形成されており、該背面板２３における筺本体２２の内部側となる面には、前記通気穴３７の外縁に沿って一端が接続され、且つ筐体５の内側に向けて延出した角筒体３８（ダクト）が設けられている。このダクト３８の他端部は、通気穴３０への空気の流れを阻害しないように、外側に向けて折り曲げられてパソコン本体２の背面と対向する対向部が形成されており、該対向部には弾力性を有する緩衝材３９が貼着されている。前記背面板２３が筺本体２２に取り付けられると、筺本体２２の背面部が塞がり、しかもダクト３８の対向部の緩衝材３９がパソコン本体２の背面に当接する。この際、緩衝材３９がパソコン本体２の背面に向けて押圧された状態となって変形し、この変形に伴う緩衝材３９の復元力によりパソコン本体２が押圧されて該パソコン本体２の奥行き方向の移動が規制される。
【００３２】
図１、図２及び図３に戻り、前記本体６は、前記ディスプレイ３、及びスキャナー装置４が配置されるベース部である第一天板４０と、該第一天板４０を床面から所定高さで支持する支持部４１と、前記第一天板４０に対して水平方向に並列で、且つ上面が前記第一天板４０より下方に位置するように前記支持部４１に取り付けられた前記第二天板３１とで構成されている。
【００３３】
前記第一天板４０は、平面視略長方形状の板材４０ａの長手方向の一端面における前面側に平面視長方形状の板材４０ｂが延設され、前記筐体５を配置する切欠き部４２が形成されている。換言すれば、長方形状の板材の一端部における背面側（角部）が、前記筐体５の平面形状に対応してＬ字状に切り欠かれて切欠き部４２が形成されている。
【００３４】
該第一天板４０は、長手方向の略中央部の背面側における上面に前記ディスプレイ３を配置するディスプレイ載置台４３を備えている。
【００３５】
このディスプレイ載置台４３は、図６に示す如く、薄板を折り曲げ加工して形成した箱状体であり、背面の起立板４４が開閉可能に構成されている。このディスプレイ載置台４３は、第一天板４０の前面側に該第一天板４０の上面と所定間隔を有して対向した延出部４５が形成されており、パソコン本体２にケーブル接続されたキーボード４６を延出部４５と第一天板４０との間に配置することができるようになっている。すなわち、このディスプレイ載置台４３は、第一天板４０上で該画像処理装置１の前面側に配置されていたキーボード４６を背面側に寄せて配置できるように構成されており、第一天板４０上のスペースの有効利用を図り得るようになっている。
【００３６】
また、ディスプレイ載置台４３の内部には、制御ユニット２１を介してパソコン本体２に接続された電気基板４７が内装されている。この電気基板４７は、パソコン本体２にマウス４８を接続する接続ポート４９ａと、スキャナー装置４を操作する専用キーボード５０を接続する接続ポート４９ｂとを備えており、各接続ポート４９ａ，４９ｂは、ディスプレイ載置台４３の一側面に形成された穴から露呈するように取り付けられている。この接続ポート４９ａ，４９ｂに接続されたマウス４８及び専用キーボード５０は、第一天板４０上にキーボード４６とともに並列配置されている。なお、キーボード４６のケーブル（図示しない）は、は、パソコン本体２に直接接続されており、ディスプレイ載置台４３内を経由して該ディスプレイ載置台４３の他側面から延出している。
【００３７】
図１及び図２に戻り、前記支持部４１は、上面に前記第一天板４０が固定される箱状の収容部５１と、該収容部５１の両側端における最下部位に固定された一対の足部５２とで構成されており、前記収容部５１に固定された第一天板４０の上面が、床面から所定高さに位置するように高さ設定されている。
【００３８】
前記収容部５１は、奥行きが前記第一天板４０の短手方向の長さより短く（筐体５の奥行き長さと略同一に）設定され、収容部５１の背面部分を形成する背面板５３が開閉可能に構成された金属製の箱体である。収容部５１の最上部には、角柱状の一対の支持梁５４，５４が、収容部５１の幅方向に所定間隔を有して設けられている。該一対の支持梁５４，５４は、収容部５１の前面から前方に向けて延出しており、上面が収容部５１の上面と均一面を形成している。そして、該収容部５１及び一対の支持梁５４，５４の上面には、前記第一天板４０が固定されている。具体的には、第一天板４０の切欠き部４２（図３）を形成する第一天板４０の長手方向の一端面と、収容部５１の一側面とが略一致するように、第一天板４０が収容部５１上に配置された状態で、一対の支持梁５４，５４に固定されている。すなわち、第一天板４０は、収容部５１の上面に対して切欠き部４２を躱すように、収容部５１及び一対の支持梁５４，５４の上面に固定されている。
【００３９】
この支持部４１（収容部５１）の内部には、スキャナー装置４の駆動の制御（搬送系１５のみならずライン状撮像素子（ＣＣＤ）１７等の制御を含む）、及びパソコン本体２を補助すべくメディアから読み込んだ画像（画像データ）を加工する制御部である前記制御ユニット２１が内装されている。該制御ユニット２１は、演算装置及び制御装置からなる中央処理装置（ＣＰＵ）や記憶装置（ＲＡＭ）など（図示しない）を備えている。なお、背面板５３には、ＣＰＵ等の動作による発熱を回避すべく、収容部５１の内部空気、及び外部空気を流通させるスリット状の通気口５５が複数形成されている。
【００４０】
前記収容部５１の前面には、二枚の棚板５６，５６が上下方向に所定間隔を有して設けられている。該棚板５６は、長手方向の長さが第一天板４０の長手方向の長さよりやや短く、且つ短手方向の長さが第一天板４０の短手方向の長さから支持体の奥行き長さを差し引いた長さに設定された平面視略長方形状の板材である。
【００４１】
該棚板５６，５６のそれぞれは、収容部５１の前面から前方に向けて延出するように収容部５１の両側面に取り付けられた二組の支持梁５７ａ，５７ｂ，５８ａ，５８ｂにより支持されている。
【００４２】
該支持梁５７ａ，５７ｂ，５８ａ，５８ｂには、ボルトを挿通する穴（図示しない）が穿設されており、収容部５１の両側面には、該支持梁５７ａ，５７ｂ，５８ａ，５８ｂを取り付けるボルトを螺嵌させる複数のネジ穴（図示しない）が、高さ方向に所定間隔を有して穿設されている。前記棚板５６，５６及び支持梁５７ａ，５７ｂ，５８ａ，５８ｂは、支持梁５７ａ，５７ｂ，５８ａ，５８ｂの穴に挿通したボルトを、所望する高さに位置するネジ穴に螺着することで高さ調節が行えるようになっている。
【００４３】
前記一対の足部５２，５２のそれぞれは、外観角柱状をなしており、収容部５１から前方に向けて延出するとともに、前方側の間隔が拡大するように、収容部５１の最下部に固定されている、この一対の足部５２，５２の下面には、適宜キャスター５９が取り付けられ、この画像処理装置１の移動を容易にしている。
【００４４】
前記第二天板３１は、前記第一天板４０の切欠き部４２に対応するように、第一天板４０の上面より下方に位置して設けられている。該第二天板３１の上面には、パソコン本体２を収容した前記筐体５（筺本体２２）が載置されており、該筐体５の底部が第二天板３１に螺着（固着）されている。この状態で筐体５の前面及び一側面が、切欠き部４２を形成する前記第一天板４０の直角をなす二つの端面に当接しており、筺体５が水平方向の揺れるのを防止している。
【００４５】
該第二天板３１は、パソコン本体２及び筐体５の重さに耐え得るように、収容部５１の一側面に高さ調節可能に取り付けられた一対のリブ６０，６０により支持されている。
【００４６】
該一対のリブ６０，６０は、正面視略直角三角形状の板材で構成されており、直角をなす二つの縁部が板厚方向に折り曲げられ、一方の縁部が前記第二天板３１の下面に固定され、他方の縁部が収容部５１の一側面に取り付けられている。該他方の縁部近傍には、前記棚板５６，５６を支持すべく収容部５１の一側面から前方に延出した支持梁５７ａ，５８ａの断面形状に対応した切欠き６１が形成されるとともに、折り曲げられた他方の縁部にネジ挿通用の穴６２が穿孔されており（図５）、該切欠き６１に支持梁５７ａ，５８ａが嵌め合わされた状態で、他方の縁部の穴６２を介して収容部５１の一側面に穿設された複数のネジ穴（図示しない）のうち所望するネジ穴にボルト６３を螺着することで、第二天板３１を収容部５１の一側面に取り付けるようになっている。
【００４７】
この一対のリブ６０，６０を取り付けるべく収容部５１の一側面に穿設された複数のネジ穴は、一対のリブ６０，６０を収容部５１の一側面に取り付けた際に、第二天板３１に固着された筐体５の前面から露呈するパソコン本体２のメディア挿入部７ａ，８ａ，９ａ，１０ａ、及びマルチカードリーダー２６のメディア挿入部３４が、ディスプレイ載置台４３（第一天板４０）上に配置されたディスプレイ３の画面略中央部以下で、且つ第一天板４０（ベース部）の上面以上の高さ範囲内に位置し得るように、高さ方向に所定間隔を有している。したがって、第一天板４０の上面に対するパソコン本体２のメディア挿入部７ａ，８ａ，９ａ，１０ａ、及びマルチカードリーダー２６のメディア挿入部３４の高さを調節すべく、一対のリブ６０，６０の取り付け位置を変更するには、リブ６０，６０に形成された切欠き６１に嵌め合わされた支持梁５７ａ，５８ａ（棚板５６，５６）も、リブ６０，６０の取り付け位置に対応して位置変更するようになっている。
【００４８】
以上構成からなる画像処理装置１により、メディアに記憶された画像に画像処理を施すには、まず、作業者がディスプレイ３の画面の略中央部に視線を合わして、キーボード４６やマウス４８の操作が行えるように椅子に着座する。そして、フロッピー（登録商標）ディスク、ＭＯディスク、ＣＤ、ＤＶＤ、ＰＣカード、フラッシュメモリカード、ＳＤカード等のメディアを、筐体５の第一開口２８から露呈したパソコン本体２のメディア挿入部７ａ，８ａ，９ａ，１０ａ、或いは第二開口３３から露呈したマルチカードリーダー２６のメディア挿入部３４に装填（挿入）して画像（画像データ）を読み込む。そして、パソコン本体２の記憶装置に記憶させたアプリケーションを実行させ、メディアから読み込んだ画像やアプリケーションの実行処理に伴う画像をディスプレイ３の画面に表示し、該表示された画像を基にキーボード４６やマウス４８によって操作（入力）を行い、色補正やレイアウトの変更等の画像処理を施す。そうすることで、メディアに記憶されていた画像を最適化することができ、このデータを基に感光材料に露光処理、及び現像処理を施した際に、感光材料に鮮明な画像を形成することができる。
【００４９】
一方、写真フィルムＦに形成されたコマ画像に対して画像処理を施すには、スキャナー装置４に写真フィルムＦを挿入し、専用キーボード５０で操作すると、制御ユニット２１に記憶されたアプリケーションが実行されてフィルムキャリア１２の搬送系１５が駆動を開始するととも、ライン状撮像素子１７による撮像が開始される。そして、ライン状撮像素子１７により読み取られた画像（画像データ）やアプリケーションの実行処理に伴う画像がディスプレイの画面に表示され、該表示された画像にデータに対してキーボード４６、及びマウス４８の操作により順次画像処理を施す。そうすると、写真フィルムＦから読み取った画像を最適化することができ、この画像データを基に感光材料に露光処理を施して現像処理を施した際に、感光材料に鮮明な画像を形成することができる。
【００５０】
以上のように、上記構成の画像処理装置１によれば、筐体５が固着された第二天板３１が、第一天板４０に対して水平方向に並列で、且つ第一天板４０の上面より下方に配置され、第二天板３１に固着した筐体５の前面から露呈するパソコン本体２のメディア挿入部７ａ，８ａ，９ａ，１０ａ、及びマルチカードリーダー２６のメディア挿入部３４が、ディスプレイ３の画面略中央部以下で、且つ第一天板４０の上面以上の高さ範囲内に位置するようにしたので、ディスプレイ３の画面に表示された画像を確認しつつ作業する作業者が、自然な姿勢（ディスプレイ３の略中央部に視線を合わせた姿勢）で椅子に着座しても、作業者がディスプレイ３の画面略中央部から上方に向けて視線移動させたり、画面略中央部より上方でのメディアの装填、交換作業を行ったりする必要がなく、自然な姿勢でメディア挿入部７ａ，８ａ，９ａ，１０ａの位置確認や、メディア挿入部７ａ，８ａ，９ａ，１０ａへのメディアの装填作業を行うことができ、作業効率を向上させることができる。つまり、作業者が自然な姿勢で着座していても、その自然な姿勢での作業者の視野範囲内にパソコン本体２に内装したメディアドライブ７，８，９，１０のメディア挿入部７ａ，８ａ，９ａ，１０ａ、及びマルチカードリーダー２６のメディア挿入部３４が位置するので、円滑にメディアの装填（挿入）作業を行うことができる。
【００５１】
また、筐体５（パソコン本体２）を配置する第二天板３１を、第一天板４０と並列配置となるように支持部４１（収容部５１）の一側面に取り付けたので、第二天板３１の固着された筐体５の前方、及び後方に空気の流れを阻害する障害物がなく、筐体５の前面に形成した通気穴３０、及び背面板２３の通気穴３７で空気を円滑に流通させることができ、パソコン本体２の駆動により発生する熱を効率よく放熱することができる。
【００５２】
さらに、第二天板３１を高さ調節可能に構成したので、筐体５内に内装されるパソコン本体２を機種（形態）の異なるものにしても、そのパソコン本体２に内装されたメディアドライブ７，８，９，１０のメディア挿入部７ａ，８ａ，９ａ，１０ａの配置位置に合わせて高さ調節することができ、パソコン本体２の機種にとらわれることなく、種々のパソコン本体２を採用することができる。
【００５３】
また、メディア挿入部７ａ，８ａ，９ａ，１０ａを外部に露呈させる第一開口２８及び第二開口３３が形成されたパソコン本体２を収容（包囲）する鉄製の筐体５を設けたので、メディアの装填の作業性を担保した上で、パソコン本体２を外部要因から保護することができることは勿論のこと、パソコン本体２に悪影響を及ぼす外部からのノイズがパソコン本体２に到達するのを防止することができ、パソコン本体２の誤作動等を防止することができる。また、パソコン本体２から外部に向けて発する特有のノイズが、外部に漏れるのを防止することができ、このノイズにより何らかの影響がある装置を該画像処理装置１近傍に配置してもこれらの装置にノイズが到達せず、該装置の誤作動等を防止することができる。
【００５４】
さらに、第二天板３１に固着した筺本体２２の内周面に緩衝材３２を設け、該緩衝材３２によりパソコン本体２の外周面を押圧するようにしたので、パソコン収納部２５内でのパソコン本体２の移動を規制することができる。その上、緩衝材３２が弾性を有するので、例えば、画像処理装置を輸送する際に生じる振動が該緩衝材３２によって吸収され、パソコン本体２に直接振動が伝わらず、パソコン本体２（特に内蔵されたＣＰＵやハードディスク等の装置）の破損を防止することができる。したがって、パソコン本体２を本体６から取り外すことなく、該画像処理装置１を搬送（輸送）することができる。
【００５５】
また、第一天板４０を支持する支持部４１の収容部５１に、スキャナー装置４の駆動を制御する制御ユニット２１を内装したので、該画像処理装置１の全体の制御をパソコン本体２のみに頼ることがなく、画像処理に対してパソコン本体２の性能を最大限活用することができる。また、この制御ユニット２１でも、スキャナー装置４で読み取った写真フィルムＦの画像を記憶したり画像処理を行ったりすることが可能なので、該画像処理装置１の画像処理おける許容処理量を大きなものとすることができ、多くの枚数の画像や、ピクセル数の多い画像も作業者がストレスを感じることなく処理することができる。
【００５６】
さらに、該画像処理装置１は、無停電電源用のバッテリー３５を備えているので、突然停電になっても、パソコン本体２及び制御ユニット２１に対する電気供給を維持させることができ、作業中のデータ等の破損や消滅を防止することができる。
【００５７】
尚、本発明のパソコンレイアウト構造体、及び画像処理装置は、上記実施形態に限定されるものではなく、本発明の要旨を逸脱しない範囲内において種々変更を加え得ることは勿論である。
【００５８】
本実施形態において、パソコン本体２（筐体５）を配置する第二天板３１と、収容部５１の前面に設けた棚板５６とを別体で構成したが、これに限定されるものではなく、棚板５６（本実施形態における一方の棚板５６）と第二天板３１とを一体的に形成してもよい。換言すれば、第二天板３１が本実施形態における棚板５６の機能をも兼ね備えた構成にしてもよい。この場合、リブ６０の一方の縁部と、支持梁５７ａ，５７ｂの上面とが同一高さになるように構成し、一体化された第二天板３１及び棚板５６をリブ６０及び支持梁５７ａ，５７ｂで支持するようにすればよい。
【００５９】
本実施形態において、第二天板３１を高さ調節可能に構成したが、これに限定されるものではなく、第二天板３１上に配置されるパソコン本体２のメーカーや機種が定まっている場合には、第二天板３１を支持部４１に固定してもよい。この場合においても、第二天板３１は、第一天板４０と水平方向に並列で且つ第一天板４０の上面より下方に位置し、該第二天板３１上のパソコン本体２のメディア挿入部７ａ，８ａ，９ａ，１０ａが、第一天板４０上のディスプレイ３の画面略中央部以下で、且つ第一天板４０の上面以上の高さ範囲内に位置するように配置することは勿論である。
【００６０】
本実施形態において、パソコン本体２を内部に収容する筐体５を設けたが、筐体５は必要に応じて設ければよく、例えば、パソコン本体２を第二天板３１上に直接配置してもよい。
【００６１】
また、本実施形態において、第一天板４０にディスプレイ載置台４３を設け、該ディスプレイ載置台４３上にディスプレイ３を配置したが、第一天板４０は、ディスプレイ載置台４３を備えたものに限定されるものではなく、例えば、第一天板４０上に直接ディスプレイ３を配置しても勿論よい。
【００６２】
さらに、本実施形態における第一天板４０は、平面視略長方形状の板材の長手方向の一端面における前面側に平面視長方形状の板材を延設して、筐体５が配設される切欠き部４２を形成するようにしたが、第一天板４０は、切欠き部４２を備えたものに限定されるものではなく、適宜平面形状を変更し得ることは勿論のことである。この場合、第一天板４０は、第二天板３１上に配置された筐体５（パソコン本体２）と干渉しないように形状設定することは勿論のことである。
【００６３】
本実施形態における画像処理装置１は、該画像処理装置１で画像処理した画像の画像データを基に、感光材料に露光処理を施す露光処理装置、及び該露光処理装置により露光処理された感光材料に現像処理を施す現像処理装置と並列配置して一連の写真処理が可能な写真処理装置を構成するようにしてもよい。この場合、露光処理装置、及び現像処理装置の制御を制御ユニット２１で行うようにしてもよい。
【００６４】
本実施形態において、第一天板４０を支持する支持部４１（収容部５１）にスキャナー装置４の駆動の制御、及び画像処理を実行する制御ユニット２１を内装するようにしたが、制御ユニット２１を内装したものに限定されるものではなく、パソコン本体２の処理能力に余裕がある場合には、スキャナー装置４の駆動の制御もパソコン本体２で行ってもよい。
【００６５】
本実施形態にかかる本体６（パソコンレイアウト構造体）は、画像処理装置１にのみ採用されるものではなく、パソコン本体２及び該パソコン本体２に接続されたディスプレイ３を配置するパソコン用テーブルとしても採用することもできる。この場合、第一天板４０は、第二天板３１上に配置したパソコン本体２と干渉することなく、しかもディスプレイ３、及びその他のデバイス（例えば、プリンタやフラットベットスキャナー等）を配置し得るスペースを確保した平面形状にしたものであればよい。また、この場合においては、本実施形態にかかる画像処理装置１のように制御ユニット２１を第一天板４０の下方に配置する必要がないので、第一天板４０を支持する支持部４１に収容部５１を形成する必要はない。したがって、一対の足部５２から上方に延びる支柱により第一天板４０を支持するようにし、該支柱に第二天板３１を取り付けるようにすればよい。このように、パソコン用テーブルとして採用する場合には、第二天板３１上に配置されるパソコン本体２の機種が定まらない場合が多いため、第二天板３１を高さ調節可能に設けることが好ましい。
【００６６】
【発明の効果】
以上のように本発明にかかるパソコンレイアウト構造体によれば、パソコン本体を載置するパソコン載置部をディスプレイを載置するベース部よりも下方に位置させ、パソコン載置部に載置したパソコン本体のメディアドライブ（メディア挿入部）がディスプレイの画面略中央部以下で、且つベース部の上面以上の高さ範囲内に位置するように構成されているので、ディスプレイの略中央部に視線を位置させるように着座、或いは起立して作業を行う作業者が、ディスプレイの略中央部より上方に視線移動をさせたり、基準となる視線位置（ディスプレイの画面略中央部）より上方でメディアをメディアドライブに装填させたりする必要がなく、自然な姿勢でメディアドライブに対する位置確認やメディア装填をすることができる。
【００６７】
また、本発明にかかる画像処理装置によれば、メディアのデータを読み込むメディアドライブを備えたパソコン本体、及びディスプレイが配置された上記構成のパソコンレイアウト構造体と、写真フィルムから画像を読み取るスキャナー装置とを備えているので、自然な姿勢でパソコン本体のメディアドライブに対する位置確認やメディアの装填を円滑にすることができる。その上、写真フィルムから画像を読み取るスキャナー装置を備えているので、メディアに記憶された画像のみならず、スキャナー装置から読み込んだ画像についても、パソコン本体で画像処理を行うことができる。その結果、この画像処理の施された画像の画像データを基に、別途用意したデジタル露光処理装置で感光材料を露光処理した後に現像処理を施すと、該感光材料に鮮明な画像を形成することができる。
【図面の簡単な説明】
【図１】本発明の一実施形態にかかる画像処理装置の正面図を示す。
【図２】同実施形態にかかる画像処理装置の背面図を示す。
【図３】同実施形態にかかる画像処理装置の平面図を示す。
【図４】同実施形態にかかるスキャナー装置の概略構成の斜視図を示す。
【図５】同実施形態にかかる画像処理装置の筐体の内部（図１におけるＡ−Ａ断面図）を示す。
【図６】同実施形態にかかるディスプレイ載置台の一部破断を含む斜視図を示す。
【符号の説明】
１…画像処理装置、２…パソコン本体、３…ディスプレイ、４…スキャナー装置、５…筐体、６…本体（パソコンレイアウト構造体）、７，８，９，１０…メディアドライブ、７ａ，８ａ，９ａ，１０ａ…メディア挿入部、１１…ケース、１２…フィルムキャリア、１３…スキャナー本体、１４…ハウジング、１５…搬送系、１６…透過用スリット、１７…ライン状撮像素子、１８…拡大レンズ、１９…ミラー、２０…光源ランプ、２１…制御ユニット、２２…筐本体、２３…背面板、２４…仕切板、２５…パソコン収容部、２６…マルチカードリーダー（外部メディアドライブ）、２７…メディアドライブ収容部、２８…第一開口、２９…穴、３０…通気穴、３１…第二天板、３２…緩衝材、３３…第二開口、３４…メディア挿入部、３５…バッテリー、３６…冷却ファン、３７…通気穴、３８…ダクト（角筒体）、３９…緩衝材、４０ａ，４０ｂ…板材、４０…第一天板、４１…支持部、４２…切欠き部、４３…ディスプレイ載置台、４４…起立板、４５…延出部、４６…キーボード、４７…電気基板、４８…マウス、４９ａ，４９ｂ…接続ポート、５０…専用キーボード、５１…収容部、５２…足部、５３…背面板、５４…支持梁、５５…通気口、５６…棚板、５７ａ，５７ｂ，５８ａ，５８ｂ…支持梁、５９…キャスター、６０…リブ、６１…切欠き、６２…穴、６３…ボルト、Ｓ１…電源スイッチ、Ｓ２…リセットスイッチ
【図１】
2004086482.tif 000003
【図２】
2004086482.tif 000004
【図３】
2004086482.tif 000005
【図４】
2004086482.tif 000006
【図５】
2004086482.tif 000007
【図６】
2004086482.tif 000008